(57)【要約】  【構成】  本体に設けられたメインＬＣＤ３４の上半分のエリアおよび下半分のエリアは、２つのフリップによってそれぞれ覆われる。２つのフリップには、上側サブＬＣＤ３６および下側サブＬＣＤ３８がそれぞれ設けられる。かかるフリップは、自在継ぎ手によって本体に結合され、フリップの姿勢は本体に対して自在に変化する。メインＬＣＤの上半分のエリアおよび下半分のエリアのいずれが露出し、上側サブＬＣＤ３６および下側サブＬＣＤ３８のいずれが露出するかは、フリップの姿勢に依存する。ＣＰＵ２８は、開閉センサ２４およびひねりセンサ２６の出力に基づいてフリップの姿勢を判別し、露出状態にある画面から情報を出力する。  【効果】  使い勝手が向上する。【選択図】  図１
2006276228.tif 000002
【特許請求の範囲】
【請求項１】
本体に設けられたメインモニタ画面、
前記メインモニタ画面を形成する複数の部分画面をそれぞれ覆う複数のカバー、
前記複数のカバーにそれぞれ設けられた複数のサブモニタ画面、
前記複数のカバーを前記本体にそれぞれ結合する複数の自在継ぎ手、
前記複数のカバーの各々の姿勢を判別する状態判別手段、および
前記状態判別手段の判別結果に基づいて前記複数の部分画面および前記複数のサブモニタ画面のうち露出状態にある画面から情報を出力する出力手段を備える、情報出力装置。
【請求項２】
動作モードを判別するモード判別手段をさらに備え、
前記出力手段は前記モード判別手段の判別結果に対応する情報を出力する、請求項１記載の情報出力装置。
【請求項３】
前記動作モードは電話モードおよびコンテンツ受信モードを含む、請求項２記載の情報出力装置。
【発明の詳細な説明】
【技術分野】
【０００１】
この発明は、情報出力装置に関し、特にたとえば携帯通信端末に適用され、モードに応じた可視情報を出力する、情報出力装置に関する。
【背景技術】
【０００２】
従来のこの種の装置の一例が、特許文献１に開示されている。この従来技術によれば、２つのカバーが本体の長さ方向両端にそれぞれ結合される。いずれのカバーも自在継手によって本体と結合され、これによってカバーの姿勢が自在に変化する。
【特許文献１】特開平１０−３１３４５２号公報［H04N 7/14, H04B 1/38, H04Q 7/32, 7/38, H04M 1/00］
【発明の開示】
【発明が解決しようとする課題】
【０００３】
しかし、従来技術では、可視情報が本体の一方主面に設けられたディスプレイモニタからしか出力されない。このため、本体の一方主面の全部または一部がカバーによって覆われると、可視情報の認識ひいては可視情報を利用した操作が困難になる。
【０００４】
それゆえに、この発明の主たる目的は、使い勝手を向上させることができる、情報出力装置を提供することである。
【課題を解決するための手段】
【０００５】
請求項１の発明に従う情報出力装置(10)は、本体に設けられたメインモニタ画面(34)、メインモニタ画面を形成する複数の部分画面をそれぞれ覆う複数のカバー(FL1, FL2)、複数のカバーにそれぞれ設けられた複数のサブモニタ画面(36, 38)、複数のカバーを本体にそれぞれ結合する複数の自在継ぎ手(UJ1, UJ2)、複数のカバーの各々の姿勢を判別する状態判別手段(S1, S5, S11, S21, S25, S31)、および状態判別手段の判別結果に基づいて複数の部分画面および複数のサブモニタ画面のうち露出状態にある画面から情報を出力する出力手段(S69, S71, S73, S79, S99, S101, S103, S117)を備える。
【０００６】
本体に設けられたメインモニタ画面を形成する複数の部分画面は、複数のカバーによってそれぞれ覆われる。複数のカバーには、複数のサブモニタ画面がそれぞれ設けられる。このような複数のカバーが、複数の自在継ぎ手によって本体にそれぞれ結合される。したがって、複数のカバーの各々の姿勢は、本体に対して自在に変化する。メインモニタ画面を形成する複数の部分画面のいずれが露出し、複数のサブモニタ画面のいずれが露出するかは、複数のカバーの各々の姿勢に依存する。
【０００７】
複数のカバーの各々の姿勢は、状態判別手段によって判別される。出力手段は、状態判別手段の判別結果に基づいて、複数の部分画面および複数のサブモニタ画面のうち露出状態にある画面から情報を出力する。したがって、カバーの姿勢が変化しても、情報を的確に認識することができ、使い勝手の向上が実現される。
【０００８】
請求項２の発明に従う情報出力装置は、請求項１に従属し、動作モードを判別するモード判別手段(S61, S91)をさらに備え、出力手段はモード判別手段の判別結果に対応する情報を出力する。
【０００９】
請求項３の発明に従う情報出力装置は、請求項２に従属し、動作モードは電話モードおよびコンテンツ受信モードを含む。
【発明の効果】
【００１０】
この発明によれば、複数の部分画面および複数のサブモニタ画面のうち露出状態にある画面から情報を出力するようにしたため、カバーの姿勢が変化しても情報を的確に認識することができ、使い勝手の向上が実現される。
【００１１】
この発明の上述の目的，その他の目的，特徴および利点は、図面を参照して行う以下の実施例の詳細な説明から一層明らかとなろう。
【発明を実施するための最良の形態】
【００１２】
図１を参照して、この実施例の携帯通信端末１０は、移動通信システムと協働して無線通信機能を実現する無線処理回路１４を含む。無線通信機能は、電源がオンされている限り、常に起動状態にある。
【００１３】
タッチパネル４０または４２によってダイヤル操作が行われると、ＣＰＵ２８は無線処理回路１４に発呼処理を命令する。無線処理回路１４は発呼処理を実行し、この結果、所望の通話相手に向けて発呼信号が出射される。発呼処理の開始によって、携帯通信端末１０の状態は非通話状態から通話試行状態に移行する。
【００１４】
また、アンテナ１２を通して発呼信号を受信すると、無線処理回路１４は着信検出信号をＣＰＵ２８に与える。ＣＰＵ２８は、着信を通知するべく、音声メッセージの発生をサウンドジェネレータ３０に命令し、スイッチＳＷ１を端子Ｔ２に接続する。このような着信通知処理の開始によって、携帯通信端末１０の状態は非通話状態から通話試行状態に移行する。サウンドジェネレータ３０によって発生された音声メッセージは、スイッチＳＷ１およびアンプ２０を介してスピーカ２２から出力される。
【００１５】
着信通知に対してオフフック操作が行われなければ、通話接続は失敗に終わる。携帯通信端末１０の状態は、通話試行状態から非通話状態に戻る。一方、着信通知に対してオフフック操作が行われれば、通話接続は成功する。携帯通信端末１０の状態は、通話試行状態から通話可能状態に移行する。スイッチＳＷ１は、端子Ｔ１と接続される。
【００１６】
通話可能状態に移行すると、マイクロフォン１８によって捉えられた発話音声が、無線処理回路１４による変調処理を経て、アンテナ１２から出射される。出射された発話音声は、通話相手の通信端末に向けて送信される。通話相手から送られてきた受話音声は、アンテナ１２によって受信され、無線処理回路１４によって復調される。復調された受話音声は、スイッチＳＷ１およびアンプ２０を介してスピーカ２２から出力される。一方の話者がオフフック操作を行うと、通話接続が遮断される。携帯通信端末１０の状態は、通話可能状態から非通話状態に移行する。
【００１７】
なお、“通話可能状態”とは、話者間の接続に成功し、通話が可能となっている状態を言う。“通話試行状態”とは、話者間の接続を試みている途中であり、接続の成功／失敗が不確定な状態を言う。“非通話状態”とは、通話可能状態および通話試行状態のいずれでもない状態を言う。
【００１８】
タッチパネル４０または４２によってメール取得操作が行われると、ＣＰＵ２８は、無線処理回路１４を制御して、メール取得要求を発行する。これによって、図示しないメールサーバから電子メールが転送される。転送された電子メールは、アンテナ１２および無線処理回路１４を介してＣＰＵ２８に入力される。ＣＰＵ２８は、受信した電子メールをフラッシュメモリ４６に保存する。
【００１９】
タッチパネル４０または４２によってメール閲覧操作が行われると、キャラクタジェネレータ３２が駆動される。保存された電子メールの内容は、キャラクタジェネレータ３２によって、メインＬＣＤ３４，上側サブＬＣＤ３６または下側サブＬＣＤ３８に表示される。
【００２０】
タッチパネル４０または４２によってメール作成操作が行われると、キャラクタジェネレータ３２が駆動され、メール作成画面がメインＬＣＤ３４，上側サブＬＣＤ３６または下側サブＬＣＤ３８に表示される。作成された電子メールは、タッチパネル４０または４２によるメール送信操作が行われたとき、無線処理回路１４およびアンテナ１２を通してメールサーバに送信される。
【００２１】
図２（Ａ）および図２（Ｂ）を参照して、携帯端末１０は、本体ＭＢと２つのフリップ（カバー）ＦＬ１およびＦＬ２とによって形成される。フリップＦＬ１およびＦＬ２の各々の主面の面積は、本体ＭＢの主面の面積のほぼ１／２である。
【００２２】
上側サブＬＣＤ３６およびタッチパネル４０は積層状態でフリップＦＬ１の一方主面に埋め込まれ、下側サブＬＣＤ３８およびタッチパネル４２は積層状態でフリップＦＬ２の一方主面に埋め込まれる。さらに、メインＬＣＤ３４は、本体ＭＢの長さ方向中央に埋め込まれる。上側サブＬＣＤ３６，下側サブＬＣＤ３８およびメインＬＣＤ３４はそれぞれ、フリップＦＬ１の一方主面、フリップＦＬ２の一方主面および本体ＭＢの一方主面に露出する。
【００２３】
フリップＦＬ１は自在継ぎ手ＵＪ１によって本体ＭＢと結合され、フリップＦＬ２は自在継ぎ手ＵＪ２によって本体ＭＢと結合される。自在継ぎ手ＵＪ１は、軸ＡＸ１方向に延びるヒンジＨＧ１と軸ＡＸ３方向に延びるシャフトＳＨ１とを有し、自在継ぎ手ＵＪ２は、軸ＡＸ２方向に延びるヒンジＨＧ２と軸ＡＸ３方向に延びるシャフトＳＨ２とを有する。
【００２４】
したがって、フリップＦＬ１は、ヒンジＨＧ１を軸として開閉され、シャフトＳＨ１を軸としてひねられる。同様に、フリップＦＬ２は、ヒンジＨＧ２を軸として開閉され、シャフトＳＨ２を軸としてひねられる。フリップＦＬ１およびＦＬ２は、このような開閉動作および／またはひねり動作によって、１６通りの姿勢をとることができる。
【００２５】
なお、フリップＦＬ１およびＦＬ２の各々の開閉状態は、図１に示す開閉センサ２４によって検知される。また、フリップＦＬ１およびＦＬ２の各々のひねり状態は、図１に示すひねりセンサ２６によって検知される。
【００２６】
フリップＦＬ１およびＦＬ２をひねることなく閉じると、図２（Ａ）に示すように、本体ＭＢの一方主面がフリップＦＬ１およびＦＬ２によって覆われる。フリップＦＬ２をひねり状態で閉じると、図３（Ａ）に示すように、本体ＭＢの他方主面の下半分がフリップＦＬ２によって覆われる。フリップＦＬ１をひねり状態で閉じると、図３（Ｂ）に示すように、本体ＭＢの他方主面の上半分がフリップＦＬ２によって覆われる。
【００２７】
ＣＰＵ２８は、図４に示す開閉判別タスク，図５に示すひねり判別タスク，図６に示す電話モード判別タスク，図７に示すメールモード判別タスク，図８〜図９に示す電話表示タスクおよび図１０〜図１１に示すメール表示タスクを並列的に実行する。なお、これらのタスクに対応する制御プログラムは、図１に示すフラッシュメモリ４６に記憶される。
【００２８】
図４を参照して、ステップＳ１では、上フリップＦＬ１の開閉状態を判別する。上フリップＦＬ１が開状態であれば、ステップＳ３で上フリップ開フラグを“１”に設定し、ステップＳ５で下フリップＦＬ２の開閉状態を判別する。一方、上フリップＦＬ１が閉状態であれば、ステップＳ９で上フリップ開フラグを“０”に設定し、ステップＳ１１で下フリップＦＬ２の開閉状態を判別する。下フリップＦＬ２が開状態であればステップＳ７で下フリップ開フラグを“１”に設定し、下フリップＦＬ２が閉状態であればステップＳ１３で下フリップ開フラグを“０”に設定する。ステップＳ７またはＳ１３の処理が完了すると、ステップＳ１に戻る。
【００２９】
図５を参照して、ステップＳ２１では、上フリップＦＬ１のひねり状態を判別する。上フリップＦＬ１がひねられていれば、ステップＳ２３で上フリップひねりフラグを“１”に設定し、ステップＳ２５で下フリップＦＬ２のひねり状態を判別する。一方、上フリップＦＬ１がひねられていなければ、ステップＳ２９で上フリップひねりフラグを“０”に設定し、ステップＳ３１で下フリップＦＬ２のひねり状態を判別する。下フリップＦＬ２がひねられていればステップＳ２７で下フリップひねりフラグを“１”に設定し、下フリップＦＬ２がひねられていなければステップＳ３３で下フリップひねりフラグを“０”に設定する。ステップＳ２７またはＳ３３の処理が完了すると、ステップＳ２１に戻る。
【００３０】
図６を参照して、ステップＳ４１では着信フラグを“０”に設定する。着信が発生すると、ステップＳ４３でＹＥＳと判断し、ステップＳ４５で着信フラグを“１”に設定する。通話が終了するとステップＳ４７でＹＥＳと判断し、ステップ４９で着信フラグを“０”に戻す。ステップＳ４９の処理が完了すると、ステップＳ４３に戻る。
【００３１】
図７を参照して、ステップＳ５１ではメールモードフラグを“０”に設定する。メールモード起動操作が行われると、ステップＳ５３でＹＥＳと判断し、ステップＳ５５でメールモードフラグを“１”に設定する。メールモード停止操作が行われると、ステップＳ５７でＹＥＳと判断し、ステップ５９でメールモードフラグを“０”に戻す。ステップＳ５９の処理が完了すると、ステップＳ５３に戻る。
【００３２】
図８を参照して、ステップＳ６１ではメールモードフラグが“０”であるか否かを判別する。ここでＹＥＳであれば、ステップＳ６３，Ｓ６５およびＳ６７の各々で、上フリップ開フラグ，下フリップ開フラグ，上フリップひねりフラグおよび下フリップひねりフラグの状態を判別する。上フリップ開フラグおよび下フリップ開フラグの各々が“１”を示し、かつ上フリップひねりフラグおよび下フリップひねりフラグの各々が“０”を示すときは、ステップＳ６３からステップＳ６９に進む。
【００３３】
上フリップ開フラグおよび下フリップ開フラグがそれぞれ“１”および“０”を示し、かつ上フリップひねりフラグおよび下フリップひねりフラグの各々が“０”を示すときは、ステップＳ６５からステップＳ７１に進む。上フリップ開フラグおよび下フリップ開フラグがそれぞれ“０”および“１”を示し、かつ上フリップひねりフラグおよび下フリップひねりフラグの各々が“０”を示すときは、ステップＳ６７からステップＳ７３に進む。
【００３４】
ステップＳ６９では、カレンダを上側サブＬＣＤ３６に表示し、メインメニューをメインＬＣＤ３４に表示し、そして電話帳リストを下側サブＬＣＤ３８に表示する。ステップＳ７１では、カレンダを上側サブＬＣＤ３６に表示し、スケジュールをメインＬＣＤ３４の上半分のエリアに表示する。ステップＳ７３では、電話帳リストを下側サブＬＣＤ３８に表示し、電話帳詳細をメインＬＣＤ３４の下半分のエリアに表示する。
【００３５】
ステップＳ７５では着信フラグの状態を判別し、ステップＳ７７では上フリップ開フラグ，下フリップ開フラグ，上フリップひねりフラグおよび下フリップひねりフラグの状態を判別する。着信フラグが“１”を示し、上フリップ開フラグおよび下フリップ開フラグがそれぞれ“１”および“０”を示し、そして上フリップひねりフラグおよび下フリップひねりフラグの各々が“０”を示せば、ステップＳ７９に進む。いずれか１つでも満足されなければ、ステップＳ６１に戻る。
【００３６】
ステップＳ７９では、電話メニューを上側サブＬＣＤ３６に表示し、発信元の名前および電話番号をメインＬＣＤ３４の上半分のエリアに表示する。着信フラグが“０”に戻れば、ステップＳ８１でＹＥＳと判断し、ステップＳ６１に戻る。
【００３７】
なお、カレンダ，メインメニュー，スケジュール，電話帳リスト，電話帳詳細，発信元の名前のいずれも、フラッシュメモリ４６に記憶され、キャラクタジェネレータ３２によって所望のＬＣＤに表示される。
【００３８】
図１０を参照して、ステップＳ９１では、メールモードフラグが“１”であるか否かを判別する。ここでＹＥＳであれば、ステップＳ９３，Ｓ９５，Ｓ９７，Ｓ１０５，Ｓ１０７，Ｓ１０９およびＳ１１１の各々で、上フリップ開フラグ，下フリップ開フラグ，上フリップひねりフラグおよび下フリップひねりフラグの状態を判別する。
【００３９】
上フリップ開フラグおよび下フリップ開フラグの各々が“０”を示し、かつ上フリップひねりフラグおよび下フリップひねりフラグがそれぞれ“１”および“０”を示すときは、ステップＳ９３からステップＳ９９に進み、メール本文をメインＬＣＤ３４の上半分のエリアに表示する。上フリップ開フラグおよび下フリップ開フラグの各々が“０”を示し、かつ上フリップひねりフラグおよび下フリップひねりフラグがそれぞれ“０”および“１”を示すときは、ステップＳ９５からステップＳ１０１に進み、メール本文をメインＬＣＤ３４の下半分のエリアに表示する。
【００４０】
上フリップ開フラグおよび下フリップ開フラグがそれぞれ“１”および“０”を示し、かつ上フリップひねりフラグおよび下フリップひねりフラグの各々が“０”を示すときは、ステップＳ９７からステップＳ１０３に進む。ステップＳ１０３では、受信した電子メールの本文を上側サブＬＣＤ３６に表示し、この本文の続きをメインＬＣＤ３４の上半分のエリアに表示する。
【００４１】
上フリップ開フラグおよび下フリップ開フラグがそれぞれ“１”および“０”を示し、かつ上フリップひねりフラグおよび下フリップひねりフラグがそれぞれ“１”および“０”を示すときは、ステップＳ１０５からステップＳ１１３に進み、受信した電子メールに添付されたファイルの内容を上側サブＬＣＤ３６に表示する。
【００４２】
上フリップ開フラグおよび下フリップ開フラグの各々が“１”を示し、かつ上フリップひねりフラグおよび下フリップひねりフラグの各々が“０”を示すときは、ステップＳ１０７からステップＳ１１５に進み、返信すべき電子メールの作成画面をメインＬＣＤ３４に表示する。
【００４３】
上フリップ開フラグおよび下フリップ開フラグがそれぞれ“０”および“１”を示し、かつ上フリップひねりフラグおよび下フリップひねりフラグの各々が“０”を示すときは、ステップＳ１０９からステップＳ１１７に進む。ステップＳ１１７では、受信した電子メールの本文を下側サブＬＣＤ３８に表示し、受信した電子メールのリストを下側サブＬＣＤ３８に表示する。
【００４４】
上フリップ開フラグおよび下フリップ開フラグがそれぞれ“０”および“１”を示し、かつ上フリップひねりフラグおよび下フリップひねりフラグがそれぞれ“０”および“１”を示すときは、ステップＳ１１１からステップＳ１１９に進み、メールに添付されたファイルの内容を下側サブＬＣＤ３８に表示する。
【００４５】
なお、ステップＳ９９〜Ｓ１０３およびＳ１１３〜Ｓ１１９のいずれにおいても、キャラクタジェネレータ３２の駆動によって、所望の情報が所望のＬＣＤに表示される。
【００４６】
図１２（Ａ）および図１２（Ｂ）に示す状態は、上フリップＦＬ１および下フリップＦＬ２の両方が開かれ、上フリップＦＬ１および下フリップＦＬ２のいずれもひねられていない状態である。このとき、メインＬＣＤ３４，上側サブＬＣＤ３６および下側サブＬＣＤ３８の全てが外部に露出する。
【００４７】
図１３（Ａ）および図１３（Ｂ）に示す状態は、下フリップＦＬ２が開かれ、かつ上フリップＦＬ１および下フリップＦＬ２のいずれもひねられていない状態である。また、図１４（Ａ）および図１４（Ｂ）に示す状態は、下フリップＦＬ２が開かれかつひねられている状態である。このときは、メインＬＣＤ３６の下半分のエリアと下側サブＬＣＤ３８とが外部に露出する。
【００４８】
図１５（Ａ）および図１５（Ｂ）に示す状態は、上フリップＦＬ１が開かれかつ上フリップＦＬ１および下フリップＦＬ２のいずれもひねられていない状態である。また、図１６（Ａ）および図１６（Ｂ）に示す状態は、上フリップＦＬ１が開かれかつひねられている状態である。このときは、上側サブＬＣＤ３４とメインＬＣＤ３６の上半分のエリアとが外部に露出する。
【００４９】
図１７（Ａ）および図１７（Ｂ）に示す状態は、上フリップＦＬ１および下フリップＦＬ２の両方が閉じられ、下フリップＦＬ２がひねられている状態である。このときは、メインＬＣＤ３６の下半分のエリアが外部に露出する。
【００５０】
図１８（Ａ）および図１８（Ｂ）に示す状態は、上フリップＦＬ１および下フリップＦＬ２の両方が閉じられ、上フリップＦＬ１がひねられている状態である。このときは、メインＬＣＤ３６の上半分のエリアが外部に露出する。
【００５１】
なお、電話モードおよびメールモードの各々における表示態様の遷移を図１９に示す。太線で囲った欄の表示態様が、外部に露出する全てのＬＣＤを利用した表示態様である。
【００５２】
以上の説明から分かるように、本体ＭＢに設けられたメインＬＣＤ３４の上半分のエリアおよび下半分のエリアは、フリップＦＬ１およびＦＬ２によってそれぞれ覆われる。フリップＦＬ１およびＦＬ２には、上側サブＬＣＤ３６および下側サブＬＣＤ３８がそれぞれ設けられる。かかるフリップＦＬ１およびＦＬ２は、自在継ぎ手ＵＪ１およびＵＪ２によって本体ＭＢにそれぞれ結合される。したがって、フリップＦＬ１およびＦＬ２の各々の姿勢は、本体ＭＢに対して自在に変化する。メインＬＣＤの上半分のエリアおよび下半分のエリアのいずれが露出し、上側サブＬＣＤ３６および下側サブＬＣＤ３８のいずれが露出するかは、フリップＦＬ１およびＦＬ２の各々の姿勢に依存する。
【００５３】
ＣＰＵ２８は、開閉センサ２４およびひねりセンサ２６の出力に基づいてフリップＦＬ１およびＦＬ２の姿勢を判別する(S1, S5, S11, S21, S25, S31)。ＣＰＵ３８はさらに、この判別結果に基づいて、露出状態にある画面から情報を出力する(S69, S71, S73, S79, S99, S101, S103, S117)。したがって、カバーの姿勢が変化しても、情報を的確に認識することができ、使い勝手の向上が実現される。
【図面の簡単な説明】
【００５４】
【図１】この発明の一実施例の構成を示すブロック図である。
【図２】（Ａ）は両フリップが閉じられた状態を示す正面図であり、（Ｂ）は両フリップが開かれた状態を示す正面図である。
【図３】（Ａ）は図２実施例のある姿勢を示す斜視図であり、（Ｂ）は図２実施例の他の姿勢を示す斜視図である。
【図４】図１実施例に適用されるＣＰＵの動作の一部を示すフロー図である。
【図５】図１実施例に適用されるＣＰＵの動作の他の一部を示すフロー図である。
【図６】図１実施例に適用されるＣＰＵの動作のその他の一部を示すフロー図である。
【図７】図１実施例に適用されるＣＰＵの動作のさらにその他の一部を示すフロー図である。
【図８】図１実施例に適用されるＣＰＵの動作の他の一部を示すフロー図である。
【図９】図１実施例に適用されるＣＰＵの動作のその他の一部を示すフロー図である。
【図１０】図１実施例に適用されるＣＰＵの動作のさらにその他の一部を示すフロー図である。
【図１１】図１実施例に適用されるＣＰＵの動作の他の一部を示すフロー図である。
【図１２】（Ａ）は両フリップが開かれた状態を示す正面図であり、（Ｂ）は両フリップが開かれた状態を示す側面図である。
【図１３】（Ａ）は下フリップが開かれた状態を示す正面図であり、（Ｂ）は下フリップが開かれた状態を示す側面図である。
【図１４】（Ａ）は下フリップが開かれかつひねられた状態を示す正面図であり、（Ｂ）は下フリップが開かれかつひねられた状態を示す側面図である。
【図１５】（Ａ）は上フリップが開かれた状態を示す正面図であり、（Ｂ）は上フリップが開かれた状態を示す側面図である。
【図１６】（Ａ）は上フリップが開かれかつひねられた状態を示す正面図であり、（Ｂ）は上フリップが開かれかつひねられた状態を示す側面図である。
【図１７】（Ａ）は下フリップがひねられた状態を示す正面図であり、（Ｂ）は下フリップがひねられた状態を示す側面図である。
【図１８】（Ａ）は上フリップがひねられた状態を示す正面図であり、（Ｂ）は上フリップがひねられた状態を示す側面図である。
【図１９】図１実施例の動作の一部を示す図解図である。
【符号の説明】
【００５５】
１０  …携帯通信端末
１４  …無線回路
１８  …マイクロフォン
２２  …スピーカ
２４  …開閉センサ
２６  …ひねりセンサ
２８  …ＣＰＵ
３２  …キャラクタジェネレータ
３４，３８  …サブＬＣＤ
３６  …メインＬＣＤ
【図１】
2006276228.tif 000003
【図２】
2006276228.tif 000004
【図３】
2006276228.tif 000005
【図４】
2006276228.tif 000006
【図５】
2006276228.tif 000007
【図６】
2006276228.tif 000008
【図７】
2006276228.tif 000009
【図８】
2006276228.tif 000010
【図９】
2006276228.tif 000011
【図１０】
2006276228.tif 000012
【図１１】
2006276228.tif 000013
【図１２】
2006276228.tif 000014
【図１３】
2006276228.tif 000015
【図１４】
2006276228.tif 000016
【図１５】
2006276228.tif 000017
【図１６】
2006276228.tif 000018
【図１７】
2006276228.tif 000019
【図１８】
2006276228.tif 000020
【図１９】
2006276228.tif 000021